(57)【特許請求の範囲】
【請求項１】
物体側から順に、正の第１群と、負の第２群と、正の第３群と、正の第４群とよりなり、各群の群間隔を変化させることにより変倍を行なうレンズ系で、第４群が正の単レンズからなる前群と最も物体側に正レンズを配置した後群とにて構成され、下記条件（１）、（２）を満足することを特徴とするズームレンズ。
（１）    ０．４＜ｄ／ｆW＜１．５
（２）    ２．５＜ｆ1／ｆW ＜５．５
ただし、ｄは前群と後群の間隔、ｆWは広角端における全系の焦点距離、ｆ1は第１群の焦点距離である。
【請求項２】
前記第２群が独立した複数枚の単レンズのみからなることを特徴とする請求項１のズームレンズ。
【請求項３】
前記第３群が物体側より順に、正の単レンズと正の単レンズと負の単レンズとよりなることを特徴とする請求項１のズームレンズ。
【請求項４】
下記条件（３）を満足することを特徴とする請求項１のズームレンズ。
（３）    ０．１５＜ｆ4／ｆT＜０．５５
ただし、ｆ4は第４群の焦点距離、ｆTは望遠端における全系の焦点距離である。
【請求項５】
前記第２群が独立した複数枚の単レンズのみからなり、前記第４群の後群が正の単レンズまたは接合レンズと負の単レンズからなる請求項１のズームレンズ。
【請求項６】
前記第２群が物体側より負の単レンズ、負の単レンズ、正の単レンズ、負の単レンズにて構成され、第４群の後群が、物体側より前記正の単レンズと１枚又は２枚の負の単レンズからなる構成であることを特徴とする請求項１、２、３又は４のズームレンズ。
【請求項７】
下記の条件（３）を満足することを特徴とする請求項１、２、３又は５のズームレンズ。
（３）    ０．１５＜ｆ4 ／ｆT ＜０．５５
ただし、ｆ4は第４群の焦点距離、ｆTは望遠端における全系の焦点距離である。
【請求項８】
前記第４群の後群が前記正のレンズと負のレンズの２枚のレンズにて構成されていることを特徴とする請求項１、２、３、４、５、６又は７のズームレンズ。
【請求項９】
前記第４群の前群が前記正のレンズよりなり、第４群の後群が正のレンズと負のレンズと負のレンズとにて構成されていることを特徴とする請求項１、２、３、４、５、６又は７のズームレンズ。
【請求項１０】
下記条件（１−１）を満足することを特徴とする請求項１、２、３、４、５、６、７、８又は９のズームレンズ。
（１−１）    ０．７＜ｄ／ｆW ＜１．２
ただし、ｄは前群と後群の間隔、ｆWは広角端における全系の焦点距離である。
【請求項１１】
前記第４群の後群の正のレンズが単レンズであることを特徴とする請求項１、２、３、４、５、６、７、８、９又は１０のズームレンズ。
【請求項１２】
前記第４群の後群の正のレンズが接合レンズに含まれていることを特徴とする請求項１、２、３、４、５、６、７、８、９又は１０ズームレンズ。
【請求項１３】
前記ズームレンズに含まれるすべてのレンズが球面レンズであることを特徴とする請求項５のズームレンズ。
【請求項１４】
広角端から望遠端への変倍に際し、第１群、第２群、第３群、第４群を夫々物体側に移動させることを特徴とする請求項１、２、３、４、５、６、７、８、９、１０、１１、１２又は１３のズームレンズ。
【請求項１５】
広角端から望遠端への変倍に際し、第１群と第２群の間隔を広げ、第２群と第３群との間隔を狭め、第３群と第４群との間隔を狭めるように各群を移動させることを特徴とする請求項１、２、３、４、５、６、７、８、９、１０、１１、１２又は１３のズームレンズ。
【請求項１６】
広角端から望遠端への変倍に際し、広角端に対して望遠端の方が、第１群と第２群の間隔が大で、第２群と第３群の間隔が小で、第３群と第４群の間隔が小で、第４群と像面の間隔が大であることを特徴とする請求項１、２、３、４、５、６、７、８、９、１０、１１、１２又は１３のズームレンズ。
【請求項１７】
広角端に対して望遠端が第１群と第２群の間隔が大で、第２群と第３群の群間隔が小で、第３群と第４群の群間隔が小で、第４群と像面との間隔が大であることを特徴とする請求項１４又は１５のズームレンズ。
【請求項１８】
前記第２群と第３群の間に明るさ絞りを配置したことを特徴とする請求項１、２、３、４、５、６、７、８、９、１０、１１、１２、１３、１４、１５、１６又は１７のズームレンズ。
【請求項１９】
変倍の際に明るさ絞りが第３群と間隔を固定したまま移動することを特徴とする請求項１８のズームレンズ。
【発明の詳細な説明】
【０００１】
【発明の属する技術分野】
本発明は、銀塩カメラやビデオカメラなどの高変倍なズームレンズに関するものである。
【０００２】
【従来の技術】
高変倍ズームレンズとして、正の屈折力を有する第１群と、負の屈折力を有する第２群と、正の屈折力を有する第３群と、正の屈折力を有する第４群よりなるレンズ系が従来より数多く提案されている。
【０００３】
このようなタイプのズームレンズには、焦点距離の変化量が大であり、かつ構成枚数が少ないことが要求される。
【０００４】
また、ズームレンズは、レンズ系とフィルムやＣＣＤなどの撮像面の間に、いわゆるクイックリターンミラーや光束分割プリズム等を配置するためのスペースを必要とするものがる。
【０００５】
更に、様々な被写体を一本のレンズ系で撮影し得るようにするために、広角端が６０°程度の広角レンズ域から望遠域までをカバーするズームレンズも求められている。
【０００６】
比較的レンズ枚数が少なく変倍比が大きいズームレンズの従来例として、特開昭６０−２６３１２号公報や特開昭６０−６０６１７号公報に記載されたレンズ系がある。
【０００７】
これら従来例のうち前者の特開昭６０−２６３１２号のズームレンズは、変倍比が４から５程度で、かつ構成枚数が１１枚から１３枚と比較的少ない枚数である。
【０００８】
【発明が解決しようとする課題】
以上述べた従来例は、いずれも高変倍ズームレンズであるが、広角端での画角が５０°よりも小であっていわゆる標準域から望遠域のズームレンズであり、広角端での画角が５５°以上であって、広角域から望遠域までをカバーし得るズームレンズではない。
【０００９】
本発明は、広角端での画角を５５°以上と高画角を確保し、且つ、変倍比が少なくとも４．５〜５以上を実現させ、特に変倍比が６以上の超高変倍のズームレンズでその効果を顕著に発揮し得る高性能でかつ小型で枚数の比較的少ないズームレンズを提供するものである。
【００１０】
【課題を解決するための手段】
本発明のズームレンズは、物体側より順に、正の第１群と、負の第２群と、正の第３群と、正の第４群とよりなり、各群の間隔を変化させて変倍を行なうレンズ系で、第２群が独立した複数枚の単レンズのみよりなり、第４群が正の単レンズからなる前群と最も物体側に正レンズを配置した後群とよりなることを特徴とする。
【００１１】
本発明のズームレンズの第１の構成は、以上の正、負、正、正の四つの群よりなるズームレンズで、第２群を独立した複数枚の単レンズにて構成して、少ない枚数でこの２群の像面湾曲を補正するようにした。
【００１２】
また、前記４群構成で、そのうちの正の第４群を正の前群と後群とに分け、そのうちの後群を正レンズを物体側に配置したもので、これによってこの第４群の主点位置が物体側にくるようにして望遠比を小にしてレンズ系が小型になるようにした。
【００１３】
また本発明のズームレンズにおいて第２群を４枚以上のレンズにて構成すれば、変倍の際の像面湾曲の変動と望遠域でのフォーカシングに伴う像面湾曲の変動を抑えることもできる。特に第２群を物体側より順に、負レンズと負レンズと正レンズと負レンズの４枚のレンズにて構成すれば、少ない枚数にて変倍による像面湾曲の変動を少なくすることができる。
【００１４】
本発明の第２の構成のズームレンズは、正の第１群と、負の第２群と、正の第３群と、正の第４群とより構成され、各群間の間隔を変化させることにより変倍を行なうレンズ系で、第３群が物体側より順に、正の単レンズと、正の単レンズと、負の単レンズとより構成され、第４群が正の単レンズからなる前群と最も物体側に正レンズを配置した後群とにて構成されているレンズ系である。
【００１５】
この第２の構成のように第３群を前記の通りの構成にすることにより、接合レンズよりも収差補正の自由度が大であり広角端の画角を約６０°とし、変倍比を５以上にしても望遠端での球面収差を良好に補正することが可能になる。
【００１６】
本発明の第３の構成のズームレンズは、正の第１群と、負の第２群と、正の第３群と、正の第４群とよりなり、各群間の間隔を変化させることにより変倍を行なうレンズ系で、第４群が正の単レンズよりなる前群と最も物体側に正レンズが配置されている後群とよりなり、下記条件（１）を満足することを特徴とする。
（１）    ０．４＜ｄ／ｆW＜１．５
ただし、ｄは第４群の前群と後群との間隔、ｆW  は広角端における全系の焦点距離である。
【００１７】
この第３の構成は、前記構成で条件（１）を満足するようにしたものである。
【００１８】
条件（１）の下限の０．４を超えると広角端周辺のコマ収差の補正が困難になる。また条件（１）の上限の１．５を超えると第４群が必要以上に長くなり、後群のレンズ径が大になりレイアウト上好ましくない。
又条件（１）の代わりに、下記条件（１−１）にすれば一層望ましい。
（１−１）  ０．７＜ｄ／ｆW＜１．２
【００１９】
更に条件（１−１）の代わりに下記条件（１−２）を満足すれば一層望ましい。
（１−２）  ０．７＜ｄ／ｆW＜１．０
【００２０】
また、第４の構成のズームレンズは、正の第１群と、負の第２群と、正の第３群と、正の第４群とよりなり各群間の間隔を変化させて変倍を行なうレンズ系で、第４群が正の単レンズからなる前群と、最も物体側にし正のレンズを配置した後群とにて構成され、第１群が下記条件（２）を満足することを特徴とする。
（２）    ２．５＜ｆ1／ｆW＜５．５
ただし、ｆ1  は第１群の焦点距離である。
【００２１】
この第４の構成のレンズ系は、第１群の焦点距離が条件（２）を満足するようにして色収差を良好に補正するようにした。
【００２２】
条件（２）の下限の２．５を超えると第１群のパワーが強くなりすぎて軸上色収差と倍率の色収差をバランス良く補正することが困難になる。また上限の５．５を超えると第１群のパワーが弱くなりすぎるため広角側で色収差を良好に補正すると望遠側で軸上色収差、特にｇ線が補正不足になる。
【００２３】
上記条件（２）の代わりに下記条件（２−１）を満足すれば望ましい。
（２−１）    ２．５＜ｆ1／ｆW＜５．０
【００２４】
又、条件（２）の代わりに下記条件（２−２）を満足すれば一層望ましい。
（２−２）    ２．５＜ｆ1／ｆW＜４．０
【００２５】
また、この第４の構成のズームレンズにおいて、条件（２）を満足した上で第１群に接合レンズを配置すれば軸上色収差、倍率の色収差共に一層良好に補正し得る。また第２群、第３群、第４群のすべての群を接合レンズを用いずに単レンズのみにて構成すれば、レンズ系全系を少ない枚数で色収差を良好に補正し、更に広角端の画角が６０°から変倍比が５を超える望遠域まで他の軸上収差、軸外収差を良好に補正できる。
【００２６】
本発明の第５の構成のズームレンズは、前述のような、物体側より順に、正の第１群と、負の第２群と、正の第３群と、正の第４群とよりなり、各群間の間隔を変化させて変倍を行なうレンズ系で、第４群が正の単レンズからなる前群と最も物体側に正レンズを配置した後群とよりなり、下記条件（３）を満足するようにしたことを特徴とする。
（３）    ０．１５＜ｆ4／ｆT＜０．５５
ただし、ｆ4は第４群の焦点距離、ｆTは望遠端における全系の焦点距離である。
【００２７】
条件（３）の下限の０．１５を超えると広角端の画角６０°から変倍比が５を超える望遠域までの全域でのコマ収差を良好に補正することが困難になり、条件（３）の上限の０．５５を超えると望遠比が大になりズームレンズの全長が長くなり好ましくない。
【００２８】
条件（３）の代わりに下記条件（３−１）を満足すれば望ましい。
（３−１）    ０．２＜ｆ4／ｆT＜０．５
【００２９】
又、条件（３）の代わりに下記条件（３−２）を満足すれば一層望ましい。
（３−２）    ０．２５＜ｆ4／ｆT＜０．４
【００３０】
尚、前述の第５の構成のレンズ系で、条件（１）、（２）のうちのいずれか一つの条件又は両方の条件を満足すれば一層望ましい。この場合、条件（１）の代わりに前記条件（１−１）又は条件（１−２）を満足すればより好ましい。
又前記第１〜第５の構成のレンズ系において第２群を複数の単レンズにて構成することが望ましい。
【００３１】
また本発明のズームレンズの他の第６の構成は、物体側より順に、正の第１群と、負の第２群と、正の第３群と、正の第４群とにて構成し、各群間の間隔を変化させて変倍を行なうレンズ系で、第４群を正の単レンズよりなる前群と、正レンズと負の単レンズとよりなる後群とにて構成したことを特徴とする。
【００３２】
この本発明の第６の構成のズームレンズは、正、負、正、正の４群構成で、これら群のうち特に第４群を前記のように構成したことを特徴とする。
【００３３】
前述の第１の構成のレンズ系のように、第４群を少ない枚数にし望遠比の小さいレンズ系にするために最も望ましい第４群の構成が前記の第６の構成のズームレンズの第４群である。又このレンズ系は、第４群の最も像側のレンズとして負の単レンズを用いたことにより、色収差の補正とズームレンズと撮像面の間のスペースを確保する上で有効である。
【００３４】
また前記第６の構成のズームレンズにおいて、第４群の後群の正レンズは単レンズまたは接合レンズのいずれでもよい。つまり、第４群の後群を正のレンズと負の単レンズの代りに正の単レンズと負の単レンズにて構成するか、あるいは正の接合レンズと負の単レンズにて構成してもよい。
【００３５】
また、本発明の第７の構成のズームレンズは、物体側より順に、正、負、正、正の四つの群より構成し、各群間の間隔を変化させることにより変倍を行なうレンズ系で、第２群を物体側より順に、負の単レンズと、負の単レンズと、正の単レンズと、負の単レンズとにて構成し、また、第４群を正の単レンズよりなる前群と、物体側より順に、正の単レンズと１枚又は２枚の負の単レズよりなる後群とにて構成した。
【００３６】
本発明のズームレンズは、広角側の画角が十分広く変倍比が約５以上で望遠比が小で性能が良く構成枚数の少ないレンズ系である。
【００３７】
前記第７の構成のズームレンズは、上記の通りの第１〜第６の構成のレンズ系を、球面レンズのみで構成し得るようにした。そのため、この第７の構成のズームレンズは、前記のように第２群と第４群をいずれも単レンズのみにて構成し、これにより、非球面を用いることなしに必要最低限のレンズ媒質と空気接触面とで効果的に必要とする結像性能を得ることが可能になる。つまり、非球面を用いることなしに全てを球面レンズにて構成することが可能であり、コストを低減できる。つまり簡単な方法でレンズを研磨することができ、またレンズを型を用いて成形する場合も、型の製作が容易になる。また非球面レンズの場合、中心から径方向にそれぞれ形状を管理しなければならないが、球面レンズの場合曲率半径を管理すれば良く、レンズ製作時の管理項目が少なくなり、そのため製作コストを低くすることが可能である。
【００３８】
尚この第７の構成のズームレンズにおいて、光学性能を一層向上させるためには、前記第２群や第４群に接合レンズや非球面レンズを用いてもよい。例えば第２群の負レンズ、負レンズ、正レンズ、負レンズのうちのいずれかのレンズをまた第４群の前群の正レンズ、後群の正レンズ、負レンズのいずれかのレンズを接合レンズや非球面レンズに換えることにより光学性能の向上を図ることができる。
【００４０】
また本発明の第８の構成のズームレンズは物体側より順に、正の第１群と負の第２群と正の第３群と正の第４群とよりなり、各群間の間隔を変化させて変倍を行なうレンズ系で、第４群を正の単レンズからなる前群と、正の単レンズと負の単レンズと負の単レンズからなる後群とにて構成することが望ましい。
【００４１】
前記のように第４群を構成することにより、収差の発生量を少なくすることができる。つまり、前記のように第４群を比較的強い正の屈折力を物体側にまた負の屈折力を像側に配置して第４群の主点位置が物体側に位置するようにした。また全長が短くなるようにするためには像側の負の屈折力を強くする必要があるが、この負の屈折力を２枚の負の単レンズにて構成して収差の発生を少なくした。
【００４２】
また、本発明の第９の構成のズームレンズは、物体側より順に正の第１群と、負の第２群と、正の第３群と、正の第４群とよりなり、各群間の間隔を変化させて変倍を行なうようなレンズ系で、第４群が正の単レンズからなる前群と最も物体側に正レンズを配置した後群とよりなり、下記条件（１）を満足することを特徴とする。
（１）      ０．４＜ｄ／ｆW ＜１．５
ただし、ｄは第４群の前群と後群の空気間隔、ｆW は広角端における全系の焦点距離である。
【００４３】
条件（１）の下限の０．４を超えると広角端周辺でのコマ収差の補正が困難であり、また球面収差等の諸収差が劣化する。上限の１．５を超えると第４群が長くなり全系の望遠比を小さくすることができなくなる。
【００４４】
尚、第４群の後群の物体側を正レンズにて構成し、広角端周辺のコマ収差の補正を容易にし、かつ後群自体の主点も前に出す構成にしたため条件（１）の下限値を小にすることが可能であり、ｄ／ｆW の下限値が０．４であればよい。
【００４５】
前記条件（１）の代わりに下記条件（１−３）を満足すればより望ましい。
（１−３）    ０．７＜ｄ／ｆW＜１．５
【００４６】
更に条件（１）の代わりに下記条件（１−１）を満足すればより一層望ましい。
（１−１）    ０．７＜ｄ／ｆW＜１．２
【００４７】
本発明のズームレンズは、各レンズ群間の間隔を変化させることにより、変倍を行なうレンズ系であるが、広角端から望遠端への変倍に際して、第１群〜第４群を次のように移動することが望ましい。
【００４８】
即ち、本発明の上記各構成のズームレンズにおいて、広角端より望遠端への変倍の際に、第１群、第２群、第３群、第４群をいずれも物体側へ移動させることにより広角端での画角が５５°以上であり、かつ変倍比が４．５以上のレンズ系になし得る。
【００４９】
また、広角端より望遠端への変倍の際に、第１群と第２群の間隔を広げ、第２群と第３群の間隔を狭め、第３群と第４群の間隔を狭めるように各群を移動させることにより、広角端での画角が５５°以上でかつ変倍比が５以上のレンズ系を構成し得る。
【００５０】
また、広角端と望遠端との構成を比較した時、広角端に対し望遠端が第１群と第２群の間隔が大で第２群と第３群の間隔が小で第３群と第４群の間隔が小で第４群と像面との間が大になるようにすることにより、広角端の画角が５５°以上であってかつ変倍比が６以上であるズームレンズを構成し得る。
【００５１】
また、本発明のズームレンズにおいて、明るさ絞りは、第２群と第３群の間に配置することが望ましい。またこの明るさ絞りは、変倍の際に第３群と一体に移動させることが望ましい。
また、前記第１〜第９の全ての構成のズームレンズにおいて、第１群に接合レンズを配置することにより軸上色収差、倍率の色収差を共に良好に補正することが可能である。
【００５２】
【発明の実施の形態】
本発明のズームレンズの実施の形態について、次に述べる実施例をもとに説明する。
実施例１
ｆ＝39.255〜96.432〜242.485 ，Ｆナンバー＝4.74〜6.25〜7.19
ｒ1 ＝114.827           ｄ1 ＝2.70      ｎ1 ＝1.84666     ν1 ＝23.78
ｒ2 ＝72.937            ｄ2 ＝5.78      ｎ2 ＝1.48749     ν2 ＝70.21
ｒ3 ＝-1741.005         ｄ3 ＝0.20
ｒ4 ＝67.406            ｄ4 ＝4.77      ｎ3 ＝1.48749     ν3 ＝70.23
ｒ5 ＝398.884           ｄ5 ＝Ｄ1 （可変）
ｒ6 ＝224.308           ｄ6 ＝1.55      ｎ4 ＝1.77250     ν4 ＝49.60
ｒ7 ＝23.676            ｄ7 ＝7.29
ｒ8 ＝-64.672           ｄ8 ＝1.35      ｎ5 ＝1.77250     ν5 ＝49.60
ｒ9 ＝83.591            ｄ9 ＝0.40
ｒ10＝45.270            ｄ10＝4.80      ｎ6 ＝1.78472     ν6 ＝25.68
ｒ11＝-71.486           ｄ11＝0.90
ｒ12＝-44.262           ｄ12＝1.28      ｎ7 ＝1.77250     ν7 ＝49.60
ｒ13＝-164.839          ｄ13＝Ｄ2 （可変）
ｒ14＝（絞り）          ｄ14＝1.10
ｒ15＝360.333           ｄ15＝2.30      ｎ8 ＝1.60342     ν8 ＝38.03
ｒ16＝-65.127           ｄ16＝0.20
ｒ17＝38.000            ｄ17＝2.94      ｎ9 ＝1.48749     ν9 ＝70.23
ｒ18＝-139.250          ｄ18＝0.80
ｒ19＝-87.831           ｄ19＝1.20      ｎ10＝1.80518     ν10＝25.42
ｒ20＝99.533            ｄ20＝Ｄ3 （可変）
ｒ21＝35.985            ｄ21＝2.72      ｎ11＝1.48749     ν11＝70.23
ｒ22＝304.020           ｄ22＝32.39
ｒ23＝87.778            ｄ23＝3.62      ｎ12＝1.51633     ν12＝64.14
ｒ24＝-89.788           ｄ24＝5.49
ｒ25＝-23.521           ｄ25＝1.50      ｎ13＝1.77250     ν13＝49.60
ｒ26＝-49.738           ｄ26＝Ｄ4 （可変）
ｆ          39.255      96.432      242.485
Ｄ1         1.13        27.73       53.80
Ｄ2         46.46       23.48       2.30
Ｄ3         17.11       4.86        1.69
Ｄ4         37.21       62.43       76.85
ｄ／ｆW ＝0.83  ，ｆ1 ／ｆW ＝2.93  ，ｆ4 ／ｆT ＝0.38
【００５３】
実施例２
ｆ＝39.253〜98.897〜243.226 ，Ｆナンバー＝4.74〜6.24〜7.12
ｒ1 ＝112.030           ｄ1 ＝2.70      ｎ1 ＝1.84666     ν1 ＝23.78
ｒ2 ＝74.750            ｄ2 ＝5.88      ｎ2 ＝1.48749     ν2 ＝70.21
ｒ3 ＝-2185.048         ｄ3 ＝0.20
ｒ4 ＝67.270            ｄ4 ＝5.15      ｎ3 ＝1.49700     ν3 ＝81.54
ｒ5 ＝377.486           ｄ5 ＝Ｄ1 （可変）
ｒ6 ＝318.190           ｄ6 ＝1.95      ｎ4 ＝1.78590     ν4 ＝44.20
ｒ7 ＝23.976            ｄ7 ＝7.78
ｒ8 ＝-38.635           ｄ8 ＝1.55      ｎ5 ＝1.80400     ν5 ＝46.57
ｒ9 ＝245.653           ｄ9 ＝0.40
ｒ10＝68.861            ｄ10＝5.43      ｎ6 ＝1.78472     ν6 ＝25.68
ｒ11＝-42.103           ｄ11＝0.33
ｒ12＝-39.638           ｄ12＝1.35      ｎ7 ＝1.77250     ν7 ＝49.60
ｒ13＝-104.365          ｄ13＝Ｄ2 （可変）
ｒ14＝絞り              ｄ14＝1.10
ｒ15＝219.067           ｄ15＝2.30      ｎ8 ＝1.60342     ν8 ＝38.03
ｒ16＝-104.624          ｄ16＝0.20
ｒ17＝31.991            ｄ17＝3.50      ｎ9 ＝1.48749     ν9 ＝70.23
ｒ18＝414.530 （非球面）ｄ18＝0.80
ｒ19＝-118.559          ｄ19＝1.56      ｎ10＝1.80518     ν10＝25.42
ｒ20＝90.985            ｄ20＝Ｄ3 （可変）
ｒ21＝38.203            ｄ21＝4.12      ｎ11＝1.48749     ν11＝70.23
ｒ22＝-166.149          ｄ22＝27.79
ｒ23＝71.134            ｄ23＝3.86      ｎ12＝1.51633     ν12＝64.14
ｒ24＝-96.836           ｄ24＝4.72
ｒ25＝-22.228           ｄ25＝1.85      ｎ13＝1.77250     ν13＝49.60
ｒ26＝-57.254           ｄ26＝Ｄ4 （可変）
非球面係数
0004068765.tif 000002
ｆ          39.253      98.897      243.226
Ｄ1         1.38        26.85       51.82
Ｄ2         47.03       23.95       2.30
Ｄ3         9.04        2.57        1.69
Ｄ4         41.41       67.05       79.57
ｄ／ｆW ＝0.71  ，ｆ1 ／ｆW ＝2.83  ，ｆ4 ／ｆT ＝0.30
【００５４】
実施例３
ｆ＝39.324〜80.320〜193.296 ，Ｆナンバー＝4.69〜5.81〜7.20
ｒ1 ＝97.603            ｄ1 ＝3.00      ｎ1 ＝1.84666     ν1 ＝23.78
ｒ2 ＝55.570            ｄ2 ＝6.70      ｎ2 ＝1.48749     ν2 ＝70.23
ｒ3 ＝-180.332          ｄ3 ＝0.25
ｒ4 ＝38.898            ｄ4 ＝4.80      ｎ3 ＝1.48749     ν3 ＝70.23
ｒ5 ＝148.972           ｄ5 ＝Ｄ1 （可変）
ｒ6 ＝537.682           ｄ6 ＝1.40      ｎ4 ＝1.77250     ν4 ＝49.60
ｒ7 ＝18.488            ｄ7 ＝5.03
ｒ8 ＝-36.538           ｄ8 ＝1.25      ｎ5 ＝1.77250     ν5 ＝49.60
ｒ9 ＝-869.411          ｄ9 ＝0.20
ｒ10＝32.874            ｄ10＝3.80      ｎ6 ＝1.78472     ν6 ＝25.68
ｒ11＝-49.788           ｄ11＝0.60
ｒ12＝-38.178           ｄ12＝1.20      ｎ7 ＝1.77250     ν7 ＝49.60
ｒ13＝65.808            ｄ13＝Ｄ2 （可変）
ｒ14＝絞り              ｄ14＝0.65
ｒ15＝102.361           ｄ15＝2.50      ｎ8 ＝1.48749     ν8 ＝70.23
ｒ16＝-51.986           ｄ16＝0.20
ｒ17＝25.420            ｄ17＝2.80      ｎ9 ＝1.51633     ν9 ＝64.14
ｒ18＝275.453           ｄ18＝5.43
ｒ19＝-41.987           ｄ19＝1.20      ｎ10＝1.84666     ν10＝23.78
ｒ20＝-247.021          ｄ20＝Ｄ3 （可変）
ｒ21＝76.300            ｄ21＝4.00      ｎ11＝1.51633     ν11＝64.14
ｒ22＝-57.143           ｄ22＝16.09
ｒ23＝93.079            ｄ23＝3.80      ｎ12＝1.60311     ν12＝60.64
ｒ24＝-41.375           ｄ24＝1.31
ｒ25＝-27.095           ｄ25＝1.65      ｎ13＝1.74100     ν13＝52.64
ｒ26＝-46.017           ｄ26＝2.44
ｒ27＝-21.275           ｄ27＝1.50      ｎ14＝1.72916     ν14＝54.68
ｒ28＝-39.322           ｄ28＝Ｄ4 （可変）
ｆ          39.324      80.320      193.296
Ｄ1         1.44        14.86       28.44
Ｄ2         24.59       14.63       2.10
Ｄ3         6.16        2.82        1.15
Ｄ4         38.94       56.34       74.22
ｄ／ｆW ＝0.41  ，ｆ1 ／ｆW ＝1.80  ，ｆ4 ／ｆT ＝0.37
【００５５】
実施例４
ｆ＝39.324〜80.299〜193.297 ，Ｆナンバー＝4.69〜5.81〜7.20
ｒ1 ＝97.189            ｄ1 ＝3.00      ｎ1 ＝1.84666     ν1 ＝23.78
ｒ2 ＝55.412            ｄ2 ＝6.70      ｎ2 ＝1.48749     ν2 ＝70.23
ｒ3 ＝-185.832          ｄ3 ＝0.25
ｒ4 ＝39.133            ｄ4 ＝4.80      ｎ3 ＝1.48749     ν3 ＝70.23
ｒ5 ＝156.009           ｄ5 ＝Ｄ1 （可変）
ｒ6 ＝441.343           ｄ6 ＝1.40      ｎ4 ＝1.77250     ν4 ＝49.60
ｒ7 ＝18.457（非球面）  ｄ7 ＝4.98
ｒ8 ＝-36.313           ｄ8 ＝1.25      ｎ5 ＝1.77250     ν5 ＝49.60
ｒ9 ＝-940.631          ｄ9 ＝0.20
ｒ10＝32.732            ｄ10＝3.80      ｎ6 ＝1.78472     ν6 ＝25.68
ｒ11＝-49.823           ｄ11＝0.60
ｒ12＝-37.945           ｄ12＝1.20      ｎ7 ＝1.77250     ν7 ＝49.60
ｒ13＝65.709            ｄ13＝Ｄ2 （可変）
ｒ14＝絞り              ｄ14＝0.65
ｒ15＝105.250           ｄ15＝2.50      ｎ8 ＝1.48749     ν8 ＝70.23
ｒ16＝-51.817           ｄ16＝0.20
ｒ17＝25.341            ｄ17＝2.80      ｎ9 ＝1.51633     ν9 ＝64.14
ｒ18＝259.852           ｄ18＝5.35
ｒ19＝-41.928           ｄ19＝1.20      ｎ10＝1.84666     ν10＝23.78
ｒ20＝-234.917          ｄ20＝Ｄ3 （可変）
ｒ21＝75.459            ｄ21＝4.00      ｎ11＝1.51633     ν11＝64.14
ｒ22＝-57.821           ｄ22＝16.13
ｒ23＝91.948            ｄ23＝3.80      ｎ12＝1.60311     ν12＝60.64
ｒ24＝-41.366           ｄ24＝1.31
ｒ25＝-27.249           ｄ25＝1.65      ｎ13＝1.74100     ν13＝52.64
ｒ26＝-46.008           ｄ26＝2.44
ｒ27＝-21.230           ｄ27＝1.50      ｎ14＝1.72916     ν14＝54.68
ｒ28＝-39.446           ｄ28＝Ｄ4 （可変）
非球面係数
0004068765.tif 000003
ｆ          39.324      80.299      193.297
Ｄ1         1.43        14.91       28.44
Ｄ2         24.58       14.64       2.10
Ｄ3         6.15        2.82        1.15
Ｄ4         39.11       56.41       74.41
ｄ／ｆW ＝0.41  ，ｆ1 ／ｆW ＝1.80  ，ｆ4 ／ｆT ＝0.37
【００５６】
実施例５
ｆ＝39.333〜79.654〜193.244 ，Ｆナンバー＝4.74〜5.78〜7.24
ｒ1 ＝93.019            ｄ1 ＝2.50      ｎ1 ＝1.84666     ν1 ＝23.78
ｒ2 ＝55.660            ｄ2 ＝6.85      ｎ2 ＝1.48749     ν2 ＝70.23
ｒ3 ＝-194.443          ｄ3 ＝0.20
ｒ4 ＝39.088            ｄ4 ＝4.70      ｎ3 ＝1.48749     ν3 ＝70.23
ｒ5 ＝121.572           ｄ5 ＝Ｄ1 （可変）
ｒ6 ＝213.063           ｄ6 ＝1.53      ｎ4 ＝1.77250     ν4 ＝49.60
ｒ7 ＝17.434            ｄ7 ＝4.69
ｒ8 ＝-44.280           ｄ8 ＝1.25      ｎ5 ＝1.77250     ν5 ＝49.60
ｒ9 ＝75.293            ｄ9 ＝0.20
ｒ10＝33.520            ｄ10＝3.90      ｎ6 ＝1.78472     ν6 ＝25.68
ｒ11＝-43.777           ｄ11＝0.51
ｒ12＝-30.776           ｄ12＝1.20      ｎ7 ＝1.77250     ν7 ＝49.60
ｒ13＝-490.883          ｄ13＝Ｄ2 （可変）
ｒ14＝絞り              ｄ14＝1.10
ｒ15＝223.317           ｄ15＝2.50      ｎ8 ＝1.48749     ν8 ＝70.23
ｒ16＝-40.960           ｄ16＝0.20
ｒ17＝25.646            ｄ17＝3.00      ｎ9 ＝1.52249     ν9 ＝59.84
ｒ18＝267.921           ｄ18＝4.43
ｒ19＝-38.708           ｄ19＝1.20      ｎ10＝1.84666     ν10＝23.78
ｒ20＝-501.501          ｄ20＝Ｄ3 （可変）
ｒ21＝95.358            ｄ21＝5.00      ｎ11＝1.48749     ν11＝70.23
ｒ22＝-37.220           ｄ22＝16.84
ｒ23＝110.946           ｄ23＝4.30      ｎ12＝1.61772     ν12＝49.81
ｒ24＝-25.257           ｄ24＝1.65      ｎ13＝1.72916     ν13＝54.68
ｒ25＝-53.152           ｄ25＝2.17
ｒ26＝-21.831           ｄ26＝1.50      ｎ14＝1.72916     ν14＝54.68
ｒ27＝-62.610           ｄ27＝Ｄ4 （可変）
ｆ          39.333      79.654      193.244
Ｄ1         1.00        15.49       28.78
Ｄ2         26.11       15.27       1.34
Ｄ3         7.02        3.79        2.06
Ｄ4         41.46       57.38       79.05
ｄ／ｆW ＝0.43  ，ｆ1 ／ｆW ＝1.86  ，ｆ4 ／ｆT ＝0.34
ただしｒ1 ，ｒ2 ，・・・ は夫々レンズ各面の曲率半径、ｄ1 ，ｄ2 ，・・・ は各レンズの肉厚および空気間隔、ｎ1 ，ｎ2 ，・・・ は各レンズの屈折率、ν1 ，ν2 ，・・・ は各レンズのアッベ数である。
【００５７】
前記実施例１乃至実施例５は夫々図１乃至図５に示す通りで、いずれも、物体側より順に正の第１群Ｇ１と負の第２群Ｇ２と正の第３群Ｇ３と正の第４群Ｇ４とよりなり、各群間の間隔を変化させて変倍を行なうズームレンズである。
【００５８】
これら実施例のうち、図１に示す実施例１は、第１群Ｇ１が負レンズと正レンズとを接合した正の接合レンズと正の単レンズとよりなり、第２群Ｇ２が複数の単レンズつまり負の単レンズと負の単レンズと正の単レンズと負の単レンズとよりなり、第３群Ｇ３が正の単レンズと正の単レンズと負の単レンズとよりなり、第４群Ｇ４は正の単レンズの前群Ｆと物体側が正レンズ（正の単レンズ）でその像側に負の単レズを配置した後群Ｒ、つまり正の単レンズと負の単レンズよりなる後群Ｒとにて構成されている。
【００５９】
この実施例１のズームレンズは、データ中に示すように条件（１）、（２）、（３）、（１−１）、（１−２）、（１−３）、（２−１）、（２−２）、（３−１）、（３−２）のすべての条件を満足する。
【００６０】
またこの実施例１の収差状況は、図６に示す通りである。
【００６１】
図２に示す実施例２は、第１群Ｇ１が負レンズと正レンズを接合した接合レンズと正の単レンズとよりなり、第２群Ｇ２が複数の単レンズつまり負の単レンズと負の単レンズと正レンズの単レンズと負の単レンズとよりなり、第３群Ｇ３が正の単レンズと正の単レンズと負の単レンズとよりなり、第４群Ｇ４が正の単レンズの前群Ｆと物体側が正レンズでその像側に負の単レンズを配置した後群Ｒつまり正の単レンズと負の単レンズよりなる後群とよりなる。
【００６２】
実施例２は、第３レンズ群Ｇ３中に非球面（ｒ18）を用いている。
【００６３】
この実施例２も実施例１と同様にすべての条件を満足する。
【００６４】
またこの実施例２の収差状況は、図７に示す通りである。
【００６５】
図３に示す実施例３は、第１群Ｇ１が負レンズと正レンズを接合した接合レンズと正の単レンズとよりなり、第２群Ｇ２が複数の単レンズつまり負の単レンズと負の単レンズと正の単レンズと負の単レンズとよりなり、第３群Ｇ３が正の単レンズと正の単レンズと負の単レンズとよりなり、第４群Ｇ４が正の単レンズの前群Ｆと物体側が正レンズでその像側に負レンズを２枚配置した後群Ｒとつまり正の単レンズと２枚の負の単レンズとよりなる後群Ｒとよりなる。
【００６７】
この実施例３は、条件（１）、（３）、（３−１）、（３−２）を満足するレンズ系である。
【００６８】
実施例３のズームレンズの収差状況は、図８に示す通りである。
【００６９】
図４に示す実施例４は、第１群Ｇ１が負レンズと正レンズとを接合した接合レンズと正レンズとよりなり、第２群Ｇ２は複数のレンズ、つまり負の単レンズ、負の単レンズ、正の単レンズ、負の単レンズよりなり、第３群Ｇ３は、正の単レンズと正の単レンズと負の単レンズとよりなり、第４群Ｇ４は、正の単レンズの前群Ｆと物体側が正レンズよりなる後群Ｒつまり正の単レンズと負の単レンズと負の単レンズとよりなる後群Ｒとにて構成されている。
【００７０】
実施例４は、第２レンズ群Ｇ２中に非球面（ｒ7）を設けた。
実施例４は、条件（１）、（３）、（３−１）、（３−２）を満足する。
【００７１】
また実施例４の収差状況は、図９に示す通りである。
【００７２】
図５に示す実施例５は、第１群Ｇ１が負レンズと正レンズを接合した接合レンズと正の単レンズよりなり、第２群Ｇ２が負の単レンズと負の単レンズと正の単レズと負の単レンズとよりなり、第３群Ｇ３が正の単レンズと正の単レンズと負の単レンズとよりなり、第４群Ｇ４が正の単レンズの前群Ｆと物体側が正レンズよりなりこの正レンズと負レンズとを接合した接合レンズと負の単レンズとよりなる後群Ｒとよりなる。
【００７３】
実施例５は、条件（１）、（３）、（３−１）、（３−２）を満足する。
【００７４】
この実施例５のズームレンズの収差状況は、図１０に示す通りである。
【００７５】
上記実施例中、実施例２と４に用いられている非球面の形状は、光軸方向にｚ軸を、光軸と直角な方向にｙ軸をとった時、次の式にて表わされる。
0004068765.tif 000004
ただし、ｒは基準球面の曲率半径、ｋは円錐係数、Ａ2 、Ａ4 、・・・は２次、４次、・・・の非球面係数である。
【００７６】
実施例１〜５は、上段が広角端、中段が中間焦点距離、下段が望遠端である。また、実施例１の収差状況は図６に示す通りであり、実施例２の収差状況は図７に、実施例３の収差状況は図８に、また実施例４の収差状況は図９に、更に実施例５の収差状況は図１０に示す通りである。尚これら図６乃至図１０において、（Ａ）、（Ｂ）、（Ｃ）は夫々広角端、中間焦点距離、望遠端における収差図である。
【００７７】
以上述べた本発明のズームレンズは、例えば、図１１、図１２に示すようなコンパクトカメラの撮影レンズとして用いられる。図１１、図１２において、１はカメラボディー、２は撮影レンズ、３は撮影用光路、４はファインダー用光学系、５はファインダー用光学系の光路、６は撮影レンズの結像面におかれたフィルム、７はファインダーの像正立プリズム、８は絞り、９はファインダーの接眼レンズである。このカメラにおいて、撮影レンズによりフィルム６の上に結像され、また撮影レンズ２の光路３とその光路が平行におかれたファインダーに入射した光は像正立プリズム７および接眼レンズ９を通って観察者により観察される。
【００７８】
このカメラに用いる撮影レンズ２に本発明のズームレンズが用いられる。
又、図１３は本発明のズームレンズを用いた一眼レフレックスカメラを示す。この図１３において、１０は一眼レフレックスカメラで、２は撮影レンズ、６はフィルム、１１は撮影レンズ２の光路３上でレンズ系２とフィルム６との間に配置されたクイックリターンミラー、１２はクイックリターンミラーより反射された光路に配置されたファインダースクリーン、１３はペンタプリズム、１４はファインダー、１５は観察者の眼（アイポイント）である。
【００７９】
この一眼レフレックスカメラ１０の撮影レンズ２として本発明のズームレンズが用いられている。
【００８０】
特許請求の範囲に記載するズームレンズのほか次の各項に示すズームレンズも目的を達成し得る。
【００８１】
（１）物体側から順に、正の第１群と、負の第２群と、正の第３群と、正の第４群とよりなり、各群間の間隔を変化させることにより変倍を行なうレンズ系で（第２群が独立した複数枚の単レンズのみからなり）、第４群が正の単レンズのみからなる前群と正のレンズ成分と負の単レンズを有する後群とにて構成されたズームレンズ。
【００８２】
（２）特許請求の範囲の請求項１に記載するレンズ系で、第２群が物体側より負の単レンズ、負の単レンズ、正の単レンズ、負の単レンズにて構成され、第４群の後群が、物体側より正の単レンズと１枚又は２枚の負の単レンズとを少なくとも有する構成であることを特徴とするズームレンズ。
【００８３】
（３）下記の条件（３）を満足することを特徴とする請求項３、４または５のズームレンズ。
（３）    ０．１５＜ｆ4 ／ｆT ＜０．５５
【００８４】
（４）特許請求の範囲の請求項１、２又は３あるいは前記の（１）、（２）又は（３）の項に記載するレンズ系で、第４群の後群が正のレンズと負のレンズとにて構成されていることを特徴とするズームレンズ。
【００８５】
（５）特許請求の範囲の請求項１、２、３、４、５又は６あるいは前記の（１）の項に記載するレンズ系で、第４群の前群が正のレンズよりなり、第４群の後群が正のレンズと負のレンズと負のレンズとにて構成されていることを特徴とするズームレンズ。
【００８６】
（６）特許請求の範囲の請求項３あるいは前記の（３）、（４）又は（５）の項に記載するレンズ系で、条件（１）の代りに下記条件（１−１）を満足することを特徴とするズームレンズ。
（１−１）    ０．７＜ｄ／ｆW ＜１．５
【００８７】
（７）特許請求の範囲の請求項１、２、３、４、５又は６あるいは前記の（１）、（３）、（４）、（５）又は（６）の項に記載するレンズ系で、第４群の後群の正のレンズが単レンズであることを特徴とするズームレンズ。
【００８８】
（８）特許請求の範囲の請求項１、２、３、４、５又は６あるいは前記の（１）、（３）、（４）、（５）、（６）又は（７）の項に記載するレンズ系で、第４群の後群の正のレンズが接合レンズであることを特徴とするズームレンズ。
【００８９】
（９）前記の（１）の項に記載するレンズ系で、すべてのレンズが球面レンズであることを特徴とするズームレンズ。
【００９０】
（１０）  特許請求の範囲の請求項１、２又は３あるいは前記の（１）、（２）、（３）、（４）、（５）、（６）、（７）、（８）、（９）又は（１０）の項に記載するレンズ系で、広角端から望遠端への変倍に際し、第１群、第２群、第３群、第４群を夫々物体側に移動させ、広角端での画角が５５°以上でかつ変倍比が４．５以上であることを特徴とするズームレンズ。
【００９１】
（１１）  特許請求の範囲の請求項１、２又は３あるいは前記の（１）、（２）、（３）、（４）、（５）、（６）、（７）、（８）、（９）又は（１０）の項に記載するレンズ系で、広角端から望遠端への変倍に際し、第１群と第２群の間隔を広げ、第２群と第３群との間隔を狭め、第３群と第４群との間隔を広げるように各群を移動させ、広角端での画角が５５°以上でかつ変倍比が５以上であることを特徴とするズームレンズ。
【００９２】
（１２）  特許請求の範囲の請求項１、２又は３あるいは前記の（１）、（２）、（３）、（４）、（５）、（６）、（７）、（８）、（９）又は（１０）の項に記載するレンズ系で、広角端から望遠端への変倍に際し、広角端に対して望遠端の方が、第１群と第２群の間隔が小で、第２群と第３群の間隔が大で、第３群と第４群の間隔が大で、第４群と像面の間隔が大であり、広角端の画角が５５°以上でかつ変倍比が６以上であることを特徴とするズームレンズ。
【００９３】
（１３）  前記の（１１）又は（１２）の項に記載するレンズ系で、広角端に対して望遠端が第１群と第２群の間隔が大で、第２群と第３群の群間隔が小で、第３群と第４群の群間隔が小で、第４群と像面との間隔が大であり、広角端での画角が５５°以上で、変倍比が６以上であることを特徴とするズームレンズ。
【００９４】
（１４）  特許請求の範囲の請求項１、２、３、４又は５あるいは前記の（１）、（２）、（３）、（４）、（５）、（６）、（７）、（８）、（９）、（１０）、（１１）、（１２）又は（１３）の項に記載するレンズ系で、第２群と第３群の間に明るさ絞りを配置したことを特徴とするズームレンズ。
【００９５】
（１５）  前記の（１５）の項に記載するレンズ系で、変倍の際に明るさ絞りが第３群と間隔を固定したまま移動することを特徴とするズームレンズ。
【００９６】
【発明の効果】
本発明によれば広角での画角が約６０°で変倍比が５〜６程度でレンズ枚数が比較的少なく小型のズームレンズを実現し得る。
【図面の簡単な説明】
【図１】本発明の実施例１の断面図
【図２】本発明の実施例２の断面図
【図３】本発明の実施例３の断面図
【図４】本発明の実施例４の断面図
【図５】本発明の実施例５の断面図
【図６】本発明の実施例１の収差図
【図７】本発明の実施例２の収差図
【図８】本発明の実施例３の収差図
【図９】本発明の実施例４の収差図
【図１０】本発明の実施例５の収差図
【図１１】本発明のズームレンズで用いられるコンパクトカメラの外観の概要を示す図
【図１２】図２１の断面形状を示す図
【図１３】本発明のズームレンズが用いられる一眼レフレックスカメラの構成を示す断面図
【図１】
0004068765.tif 000005
【図２】
0004068765.tif 000006
【図３】
0004068765.tif 000007
【図４】
0004068765.tif 000008
【図５】
0004068765.tif 000009
【図６】
0004068765.tif 000010
【図７】
0004068765.tif 000011
【図８】
0004068765.tif 000012
【図９】
0004068765.tif 000013
【図１０】
0004068765.tif 000014
【図１１】
0004068765.tif 000015
【図１２】
0004068765.tif 000016
【図１３】
0004068765.tif 000017